(57)【要約】【課題】  複数の空調機を設備して情報処理装置等の冷却を行なう場合に、ある位置における各空調機の影響度を計測することができ、特定の装置の温度を下げたい場合に、どの空調機を制御すればよいかが判断でき、また空調機の重要度等を把握できる、空調機監視システムを提供する。【解決手段】  本発明の空調機監視システムにおいては、空調機が設備されたゾーン内の所望の位置に温度センサ１１を配置し、１つの空調機ごとに順番に、その設定温度を所定の時間の間、所定の温度だけ変化させる。そして、温度センサ１１における温度の変化情報を収集し、この温度の変化情報を基に、温度センサ１１が配置された位置における、各空調機１〜５の影響度を求める。【選択図】  図１
2006064283.tif 000002
【特許請求の範囲】
【請求項１】
ゾーン内に配置された複数の空調機を管理する空調機監視システムであって、
前記各空調機の運転状態の監視と制御を行なう空調機制御手段と、
前記ゾーン内の任意の位置に配置され、温度を検出する温度センサと、
前記各空調機について、１つの空調機ごとに順番に、その設定温度を所定の時間、所定の温度だけ変化させる設定温度変更手段と、
前記設定温度変更手段により、設定温度が変更された空調機に対する前記温度センサの温度変化の情報を収集するセンサ温度変化情報収集手段と、
前記センサ温度変化情報収集手段により収集された温度変化情報を基に、前記温度センサが配置された位置における、前記各空調機の影響度を求める影響度算出手段と
を備えることを特徴とする空調機監視システム。
【請求項２】
前記各空調機における設定温度の変化を、各空調機ごとに、ｘ１、ｘ２、…、ｘｎとし、前記温度センサにおける温度変化を、ｙ１、ｙ２、…、ｙｎとすると、その比率、ｙ１／ｘ１、ｙ２／ｘ２、…、ｙｎ／ｘｎにより、前記温度センサが配置された位置への各空調機の影響度を求める影響度算出手段を
備えることを特徴とする請求項１に記載の空調機監視システム。
【請求項３】
前記温度センサは、ゾーン内に配置された冷却対象となる装置内の温度センサであること
を特徴とする請求項１または請求項２に記載の空調機監視システム。
【請求項４】
前記影響度算出手段により求めた空調機と冷却対象となる装置との影響度の情報を、表形式またはグラフィック形式で画面表示する影響度画面表示手段を
備えることを特徴とする請求項３に記載の空調機監視システム。
【請求項５】
前記各空調機の監視と制御、および前記冷却対象となる装置内の温度センサの温度情報の収集を、ＳＮＭＰ(Simple Network Management Protocol)を介して行なう監視・制御装置を備えること
を特徴とする請求項３または請求項４に記載の空調機監視システム。
【請求項６】
ゾーン内に配置された複数の空調機を管理する空調機監視システムにおける空調機監視方法であって、
前記各空調機の運転状態の監視と制御を行なう空調機制御手順と、
前記ゾーン内の任意の位置に配置された温度センサにより温度を検出する手順と、
前記各空調機について、１つの空調機ごとに順番に、その設定温度を所定の時間、所定の温度だけ変化させる設定温度変更手順と、
前記設定温度変更手順により、設定温度が変更された空調機に対する前記温度センサの温度変化の情報を収集するセンサ温度変化情報収集手順と、
前記センサ温度変化情報収集手順により収集された温度変化情報を基に、前記温度センサが配置された位置における、前記各空調機の影響度を求める影響度算出手順と
を含むことを特徴とする空調機監視方法。
【請求項７】
前記各空調機における設定温度の変化を、各空調機ごとに、ｘ１、ｘ２、…、ｘｎとし、前記温度センサにおける温度変化を、ｙ１、ｙ２、…、ｙｎとすると、その比率、ｙ１／ｘ１、ｙ２／ｘ２、…、ｙｎ／ｘｎにより、前記温度センサが配置された位置への各空調機の影響度を求める影響度算出手順を
含むことを特徴とする請求項６に記載の空調機監視方法。
【請求項８】
前記温度センサは、ゾーン内に配置された冷却対象となる装置内の温度センサであること
を特徴とする請求項６または請求項７に記載の空調機監視方法。
【発明の詳細な説明】
【技術分野】
【０００１】
本発明は、通信装置や情報処理装置等、発熱密度の比較的大きい機器（ＰＣ（パーソナルコンピュータ）、サーバ、ルータ、ネットワークハブ、データストレージ、データバックアップ機器等）、それらを冷却する空調機、それらを収容する、いわゆるコンピュータルーム、ｉＤＣ（インターネット・データセンタ）、通信機械室等における、空調機監視システム、および空調機監視方法に関する。
【背景技術】
【０００２】
通信装置や情報処理装置等は、コンピュータルーム、ｉＤＣ、通信機械室等に収容されており（本明細書では、コンピュータルーム、ｉＤＣ、通信機械室等の空調が行なわれる場所または領域をゾーンと呼ぶ）、発熱密度の比較的大きい機器が含まれているため、それらを冷却する空調機がゾーン内に設備され、通信装置や情報処理装置等が無理なく安定に動作するように配慮されている。
【０００３】
この場合、現状では、図１０の従来の空調機と情報処理装置等の監視状態の説明図に示されるように、通信装置や情報処理装置等はラック２３に収容され、ラック列２４を配置して通信システムや情報処理システム等が構成されている。また、これらの通信装置や情報処理装置等は、主にEthernet（登録商標）等のネットワーク配線２２で接続されている。また、通信装置や情報処理装置等はＳＮＭＰ等で監視されている。
【０００４】
一方、空調機１〜５は(上記とは別に)独自系統にて空調監視・制御配線３１で接続され、通信装置や情報処理装置等とは別に監視されている。
【０００５】
また、空調機から出力される運転データを所定のサンプリングタイムで取得すると、その運転データに基づいて空調機の運転状態が正常か否かを推定して、各運転データ毎に所定時間内に含まれる複数サンプリングデータを処理して得られるデータを特徴量データとして纏めてデータセットとすると共に、順次取得した複数データセットから基準空間を構築した後、取得したデータセットが基準空間に対し正常であるか否かをマハラノビスの距離を用いて判定する空調運転監視システム、異常検出方法および異常検出装置が知られている（特許文献1参照）。
しかしながら、この空調運転監視システムは、現地空調システムの運転状態に基づいて基準空間を作成することで、異常状態を種類によらず幅広く推定し、早期異常検出が可能となるため、その報知を受けた監視者が素早く対応するためのものであった。
【特許文献１】特開２００４-２３２９６８号公報
【発明の開示】
【発明が解決しようとする課題】
【０００６】
このように、従来は、通信装置や情報処理装置等と、空調機は、それぞれ別個に監視、運用されており、両者を連携させた空調の制御は行われていなかったという問題があった。
【０００７】
このため現状では、被冷却装置（通信装置や情報処理装置等）と空調機との関連付けについては明確になっておらず、設計時の想定に従って設計者や管理者の経験や直感、または試行錯誤により手動で空調機の温度設定を行っていた。
【０００８】
また、設計者や管理者等の経験と直感、または試行錯誤によりデータベースが作成され、このデータベースを基に、空調機の設定温度を決めるようにしていた。
【０００９】
しかし、被冷却装置の配置や発熱量が変更されたり変化した場合には、データベースを修正する作業が発生するが、これについても、設計者や管理者等の経験と直感、または試行錯誤によりデータベースの更新を行なっていた。このため、マージン（余裕）を大きくとって、空調機の温度を設定する必要があり、無駄なエネルギーを消費することも多かった。
【００１０】
そこで、本発明では、上記問題点を解決するために、ゾーン内の所望の位置における各空調機の影響度を計測し、この計測結果を基に、各空調機の温度を最適に設定できるようにし、無駄なエネルギーの消費を低減できるようにするものである。
【００１１】
本発明はこのような問題を解決するためになされたもので、その目的は、複数の空調機を設備して情報処理装置等の冷却を行なう場合に、ある位置における各空調機の影響度を計測することができ、特定の装置の温度を下げたい場合に、どの空調機を制御すればよいかが判断でき、また空調機の重要度等を把握できる、空調機監視システム、および空調機監視方法を提供することにある。
【課題を解決するための手段】
【００１２】
上記課題を解決するために、本発明の空調機監視システムは、ゾーン内に配置された複数の空調機を管理する空調機監視システムであって、前記各空調機の運転状態の監視と制御を行なう空調機制御手段と、前記ゾーン内の任意の位置に配置され、温度を検出する温度センサと、前記各空調機について、１つの空調機ごとに順番に、その設定温度を所定の時間、所定の温度だけ変化させる設定温度変更手段と、前記設定温度変更手段により、設定温度が変更された空調機に対する前記温度センサの温度変化の情報を収集するセンサ温度変化情報収集手段と、前記センサ温度変化情報収集手段により収集された温度変化情報を基に、前記温度センサが配置された位置における、前記各空調機の影響度を求める影響度算出手段とを備えることを特徴とする。
これにより、温度センサが配置された位置に対するそれぞれの空調機の影響度を定量的に計測できる。また、温度センサを移動させて影響度を計測すれば、影響度マップを作成できる。
【００１３】
また、本発明の空調機監視システムは、前記各空調機における設定温度の変化を、各空調機ごとに、ｘ１、ｘ２、…、ｘｎとし、前記温度センサにおける温度変化を、ｙ１、ｙ２、…、ｙｎとすると、その比率、ｙ１／ｘ１、ｙ２／ｘ２、…、ｙｎ／ｘｎにより、前記温度センサが配置された位置への各空調機の影響度を求める影響度算出手段を備えることを特徴とする。
これにより、温度センサが配置された位置に対するそれぞれの空調機の影響度を定量的に計測できる。
【００１４】
また、本発明の空調機監視システムは、前記温度センサは、ゾーン内に配置された冷却対象となる装置内の温度センサであることを特徴とする。
これにより、特定の装置（情報処理装置等）の温度を下げたいときにどの空調機を制御すればよいか分かる。
【００１５】
また、本発明の空調機監視システムは、前記影響度算出手段により求めた空調機と冷却対象となる装置との影響度の情報を、表形式またはグラフィック形式で画面表示する影響度画面表示手段を備えることを特徴とする。
これにより、空調機と冷却対象となる装置との関連性（冷却の影響度）を、視覚的に把握できる。
【００１６】
また、本発明の空調機監視システムは、前記各空調機の監視と制御、および前記冷却対象となる装置内の温度センサの温度情報の収集を、ＳＮＭＰ(Simple Network Management Protocol)を介して行なうと共に、前記影響度の算出結果を記憶する監視・制御装置を備えることを特徴とする。
これにより、装置や空調機に変化があった場合でも、常に最新の影響度テーブルが得られる。
【００１７】
また、本発明の空調機監視方法は、ゾーン内に配置された複数の空調機を管理する空調機監視システムにおける空調機監視方法であって、前記各空調機の運転状態の監視と制御を行なう空調機制御手順と、前記ゾーン内の任意の位置に配置された温度を検出する温度センサと、前記各空調機について、１つの空調機ごとに順番に、その設定温度を所定の時間、所定の温度だけ変化させる設定温度変更手順と、前記設定温度変更手順により、設定温度が変更された空調機に対する前記温度センサの温度変化の情報を収集するセンサ温度変化情報収集手順と、前記センサ温度変化情報収集手順により収集された温度変化情報を基に、前記温度センサが配置された位置における、前記各空調機の影響度を求める影響度算出手順とを含むことを特徴とする
これにより、温度センサが配置された位置に対するそれぞれの空調機の影響度を定量的に計測できる。また、温度センサを移動させて影響度を計測すれば、影響度マップを作成できる。
【００１８】
また、本発明の空調機監視方法は、前記各空調機における設定温度の変化を、各空調機ごとに、ｘ１、ｘ２、…、ｘｎとし、前記温度センサにおける温度変化を、ｙ１、ｙ２、ｙｎとすると、その比率、ｙ１／ｘ１、ｙ２／ｘ２、…、ｙｎ／ｘｎにより、前記温度センサが配置された位置への各空調機の影響度を求める影響度算出手順を含むことを特徴とする。
これにより、温度センサが配置された位置に対するそれぞれの空調機の影響度を定量的に計測できる。
【００１９】
また、本発明の空調機監視方法は、前記温度センサは、ゾーン内に配置された冷却対象となる装置内の温度センサであることを特徴とする。
これにより、特定の装置（情報処理装置等）の温度を下げたいときにどの空調機を制御すればよいか分かる。
【発明の効果】
【００２０】
本発明によれば、空調機が設備されたゾーン内の所望の位置に温度センサを配置し、１つの空調機ごとに順番に、その設定温度を所定の時間、所定の温度だけ変化させる。そして、センサ温度の変化情報を収集し、この温度変化情報を基に、温度センサが配置された位置における各空調機の影響度を求めるようにしたので、これにより、温度センサが配置された位置に対するそれぞれの空調機の影響度を定量的に計測できる。また、ある位置での温度を調整したい場合に、どの空調機の温度設定を、どの程度変更すればよいかが分かる。また、温度センサを移動させて順次影響度を計測すれば、影響度マップが作成できる。
【００２１】
また、本発明によれば、設定温度の変化を各空調機ごとに、ｘ１、ｘ２、…、ｘｎとし、温度センサによる温度変化を、ｙ１、ｙ２、…、ｙｎとすると、その比率、ｙ１／ｘ１、ｙ２／ｘ２、…、ｙｎ／ｘｎにより、温度センサが配置された位置への空調機の影響度を求めるようにしたので、これにより、温度センサが配置された位置に対するそれぞれの空調機の影響度を定量的に計測できる。
【００２２】
また、本発明の空調機監視システムにおいては、ゾーン内の温度を検出する温度センサとして、ゾーン内に配置され冷却対象となる装置に内蔵された温度センサを使用するようにしたので、これにより、各空調機と装置の関連性に基づいて、特定の装置の温度を下げたいときにどの空調機を制御すればよいか分かる。さらに、この場合、温度センサを物理的に移動させる必要はなく、それぞれの温度センサについてソフトウェア上で順次切り替えることで、影響度マップを容易に作成できる。
【００２３】
また、本発明によれば、空調機と装置との影響度の情報を、画面表示するようにしたので、これにより、空調機と装置との冷却についての関連性（影響度）を、表形式や、機器配置図面上などに色の濃淡または色の違いで表示することができ、影響度の情報が視覚的に把握しやすくなり、ヒューマンエラーを防止することができる。
【００２４】
また、本発明によれば、各空調機の監視と制御、冷却対象となる装置内の温度センサ情報の収集を、ＳＮＭＰを介して行なうと共に、影響度の算出処理と算出結果のデータを記録する監視・制御用装置を備えるようにしたので、これにより、各空調機の監視と制御と、冷却対象となる装置内の温度センサの温度情報の収集を、１台の監視・制御用装置内のプログラムを実行して行うことができ、装置に対する空調機の影響度のテーブルを作成することもできる。また、影響度の計測を常時行うことで、テーブルが常に更新され、装置や空調機に変化があった場合でも、常に最新の影響度テーブルが得られる。
【発明を実施するための最良の形態】
【００２５】
次に本発明を実施するための最良の形態について図面を参照して説明する。
図1は、本発明の空調機監視システムの構成を示す図である。図1において、１０は空調を行うゾーン、１、２、…、５は前記ゾーン内に配置され、ゾーン内の空調を行う空調機である。また当該ゾーン内には、複数のラック２３およびラック列２４が配置されている。１１は前記ゾーン内の任意の位置に配置され、その位置の温度を検出する温度センサである。１００は、空調機１〜５の監視と制御を行なうと共に、温度センサ１１の温度計測情報を収集する監視・制御用装置(例えばパーソナルコンピュータである。)である。
【００２６】
図１に示す例は、複数の空調機１〜５をゾーン１０内に設備し、ゾーン１０内の情報処理装置等（ラック２３内に収容されている）を冷却する場合において、温度センサ１１により、ゾーン１０内の特定位置に対する空調機１〜５の影響度を計測する例である。
【００２７】
また、監視・制御用装置１００は、監視・制御用装置１００の全体を制御する制御部１０１、空調機１〜５および温度センサ１１と通信接続する通信用インタフェース１０２、処理プログラム部１１０、およびデータベース１２０を有している。
【００２８】
また、処理プログラム部１１０には、以下の処理部が含まれている。
空調機制御処理部（空調機制御手段）１１１は、空調機監視部１１１ａと空調機運転制御部１１１ｂとを有し、空調機監視部１１１ａは各空調機１〜５の運転状態の情報を収集し、各空調機１〜５を監視する処理を行う。空調機運転制御部１１１ｂは、空調機１〜５の運転を制御（起動・停止、設定温度の変更、ファン風量の増減など）する。
【００２９】
設定温度変更処理部（設定温度変更手段）１１２は、各空調機１〜５について、１つの空調機ごとに順番に、その設定温度を所定の時間、所定の温度だけ変化させる処理を行う。
【００３０】
センサ温度変化情報収集処理部（センサ温度変化情報収集手段）１１３は、設定温度が変更された空調機に対する温度センサ１１の温度変化の情報を収集する処理を行う。
【００３１】
影響度算出処理部（影響度算出手段）１１４は、センサ温度変化情報収集処理部１１３により収集された温度変化情報を基に、温度センサ１１が配置された位置に対する、各空調機１〜５の影響度を求める処理を行う。
【００３２】
影響度画面表示処理部（影響度画面表示手段）１１５は、影響度算出処理部１１４により求めた各空調機１〜５と温度センサ１１が配置された位置との影響度の情報を、表示部１１６に表形式またはグラフィック形式で画面表示する処理を行う。
【００３３】
なお、データベース１２０には、機器状態監視情報１２１として、各空調機の運転状態の情報や、温度センサ１１で計測した温度の情報が記録されている。また、温度変化情報１２２は空調機の設定温度の変更に対応する温度センサ１１の温度変化情報を記録したものである。また、影響度テーブル１２３は、影響度算出処理部１１４により求めた空調機と温度センサ１１が配置された位置との影響度の関係の情報を記録したテーブルである。
【００３４】
次に、図２を参照して、温度センサ１１が配置された位置に対する各空調機の影響度（関連性）を探る手順について説明する。
最初に、空調機１の運転温度をｘ１℃さげる。また、他の空調機２〜５の冷却能力や運転温度は固定にする（ステップＳ１）。
所定の時間が経過した後に、温度センサ１１の温度が、ｙ１℃下がる。この値を記録する（ステップＳ２）。
温度センサ１１の温度を計測したら、空調機１の運転温度を元に戻す（ステップＳ３）。
【００３５】
所定の時間の後、空調機２の運転温度をｘ２℃下げる（ステップＳ４）。
所定の時間が経過した後に、温度センサの温度がｙ２℃下がる。この値を記録する（ステップＳ５）。
温度センサ１１の温度を計測したら、空調機２の運転温度を元に戻す（ステップＳ６）。
【００３６】
所定の時間の後、空調機３の運転温度をｘ３℃下げる（ステップＳ７）。
以上の手順を、空調機の台数だけ実施する（ステップＳ８）。
【００３７】
そして、ｙ１／ｘ１、ｙ２／ｘ２、・・・の比率により空調機１〜５の温度センサ１１の位置への影響度を把握する（ステップＳ９）。
【００３８】
このように、複数台の空調機がある場合、ある位置に対するそれぞれの空調機の影響度は異なり、従来は定量的に把握する方法が無く、経験や直感に頼っていたが、図２に示すフローに従い、温度センサ１１の位置に対するそれぞれの空調機１〜５の影響度を定量的に計測できる。また、温度センサ１１を移動させて順次影響度を計測すれば、影響度マップが作成できる。
【００３９】
これにより、ある位置での温度を調整したい場合に、どの空調機の温度設定を、どの程度変更すればよいかが分かる。
【００４０】
また、一般に、運用温度に敏感な情報処理装置は温度センサを内蔵している場合が多い。このような場合は、ある装置（情報処理装置）に対する各空調機１〜５の影響度を調べることも可能である。
【００４１】
図３は、本発明の空調機監視システムの他の構成を示す構成図である。
【００４２】
図３においては、図１と比較して、温度の計測対象が温度センサ１１から情報処理装置aに変わった点だけが異なる。
【００４３】
そして、監視・制御用装置１００の処理プログラム部１１０内のセンサ温度変化情報収集処理部（センサ温度変化情報収集手段）１１３は、設定温度が変更された各空調機１〜５に対する情報処理装置ａの内部温度の変化情報を収集する処理を行う。
【００４４】
影響度算出処理部（影響度算出手段）１１４は、センサ温度変化情報収集処理部１１３により収集された温度変化情報を基に、情報処理装置aに対する、各空調機１〜５の影響度を求める処理を行う。
【００４５】
影響度画面表示処理部（影響度画面表示手段）１１５は、影響度算出処理部１１４により求めた各空調機１〜５と情報処理装置aとの影響度の情報を、表示部１１６に表形式またはグラフィック形式で画面表示する処理を行う。
【００４６】
なお、データベース１２０には、機器状態監視情報１２１として、各空調機１〜５の運転状態の情報や、情報処理装置aの内部温度の情報が記録されている。また、温度変化情報１２２は空調機１〜５の設定温度の変更に対応する情報処理装置ａの内部温度の変化情報を記録したものである。また、影響度テーブル１２３は、影響度算出処理部１１４により求めた空調機１〜５と情報処理装置aの影響度の関係の情報を記録したテーブルである。
なお、その他の部分については、図１と同じであり、その説明は省略する。
【００４７】
次に、図４を参照して、ある装置（情報処理装置a）と各空調機１〜５の影響度（関連性）を探る手順について説明する。
最初に、空調機１の運転温度をｘ１℃さげる。また、他の空調機２〜５の冷却能力や運転温度は固定にする（ステップＳ１１）。
所定の時間が経過した後に、情報処理装置ａの内部温度（内蔵温度センサにより計測される温度）が、ｙ１℃下がる。この値を記録する（ステップＳ１２）。
空調機１の運転温度を元に戻す（ステップＳ１３）。
【００４８】
所定の時間の後、空調機２の運転温度をｘ２℃下げる（ステップＳ１４）。
所定の時間が経過した後に、 情報処理装置ａの温度がｙ２℃下がる。この値を記録する（ステップＳ１５）。
空調機２の運転温度を元に戻す（ステップＳ１６）。
【００４９】
所定の時間の後、空調機３の運転温度をｘ３℃下げる（ステップＳ１７）。
以上の手順を、空調機の台数だけ実施する（ステップＳ１８）。
【００５０】
そして、ｙ１／ｘ１、ｙ２／ｘ２、…の比率により空調機１〜５の情報処理装置ａの位置への影響度を把握する（ステップＳ１９）。
【００５１】
これにより、各空調機の関連性に基づいて、特定の装置の温度を下げたいときにどの空調機をどの程度制御すればよいか分かる。
【００５２】
以上の手順により、それぞれの装置について重要度に応じて重み付け係数を設定し、影響度と重み付け係数の積の合計を計算することで、空調機の重要度が決定できる。図５は、空調機と装置の関連性係数、空調機の重要度を監視・制御用装置１００の表示部１１６（液晶ディスプレィ等）に画面に表示した例を示しており、テーブル（表形式）で表示した例である。
【００５３】
図５に示す例では、「空調機１と装置３の関連性は０．３０」であり、「空調機１の温度を１℃下げると、装置３の位置での温度は０．３０℃下がる」と予測される。また、「空調機１の重要度＝０．６６×３＋０．６４×２＋０．３０×１＋…」となる。
【００５４】
このように、空調機の重要度に応じてメンテナンスの優先順位を決定することで、効率的なメンテナンスが可能となる。
【００５５】
また、図６は、空調機と情報処理装置を監視・制御用装置により統合的に監視・制御する例を示す図であり、情報処理装置２１にＳＮＭＰを搭載し、ネットワーク配線２２を監視・制御用装置１００に接続すると共に、空調監視・制御装置３０を監視・制御用装置１００に接続した例である。なお、空調監視・制御装置３０は、空調機１〜３と空調監視・制御配線３１により接続され、空調機１〜３の監視と制御を行なう装置である。なお、この例では、監視・制御用装置１００がＳＮＭＰマネージャとして機能し、情報処理装置２１がＳＮＭＰクラアントとして機能する。また、監視・制御用装置１００の内部構成については、図２に示す監視・制御用装置１００と基本的に同じであり、センサ温度変化情報収集部１１３による情報処理装置ａの内部温度の収集が、ＳＮＭＰを介して行なわれる点が異なるだけであり、図６に示す監視・制御用装置１００の詳細については省略する。
【００５６】
図６に示すような構成により、情報処理装置２１と空調機１〜３とが１台の監視・制御用装置１００で監視・制御できる場合には、監視・制御用装置１００内のプログラムにより順次計測を行い、計測した結果をデータテーブルに書き込むことで、情報処理装置２１に対する空調機１〜３の影響度のテーブルを作成できる。
【００５７】
これにより、影響度の計測を常時行うことで、テーブルが常に新しく更新される。そして、情報処理装置２１や空調機１〜３に変化があった場合でも、常に最新の影響度テーブルが得られる。
【００５８】
また、図７は、空調機と情報処理装置を監視・制御用装置により統合的に監視制御する他の例を示す図であり、図７に示すように、空調監視・制御装置３０にＳＮＭＰを搭載すれば、空調監視・制御装置３０をネットワーク配線２２に共通に接続することができ、より簡単なシステム構成を実現できる。
【００５９】
なお、この例では、監視・制御用装置１００がＳＮＭＰマネージャとして機能し、情報処理装置２１と空調機監視・制御装置３０がＳＮＭＰクラアントとして機能する。また、監視・制御用装置１００の内部構成については、図２に示す監視・制御用装置１００と基本的に同じであり、空調機制御処理部１１１における空調機１〜３の監視・制御と、センサ温度変化情報収集部１１３による情報処理装置ａの内部温度の情報収集が、ＳＮＭＰを介して行なわれる点が異なるだけであり、図７に示す監視・制御用装置１００の詳細については省略する。
【００６０】
また、影響度は図５に示す表形式で表示する他に、種々のグラフィック形式で表示できる。図８は、指定したラック（情報処理装置ａ）との関連性の高さを空調機ごとに色の濃淡で、監視・制御用装置１００の表示部１１６（液晶ディスプレィ等）に画面表示する例を示す図である。
【００６１】
図８に示す例では、カーソルを情報処理装置ａ（ラック）に合わせることにより、情報処理装置ａに関連性の高い空調機が色の濃淡であらわされ、この例では、空調機３が最も関連性の高い空調機であり、濃い色で表示され、空調機５がやや関連性のある空調機であり淡色で表示される。空調機４はその中間である。
【００６２】
また、情報処理装置ａに合わせたカーソルを他の情報処理装置に合わせることにより、新たにカーソルを合わせた情報処理装置に関連性のある空調機が色の濃淡で表示される。
【００６３】
また、図９は、指定した空調機との関連性の高さをラックの色の濃淡で表示する例を示す図であり、図９に示すように、特定の空調機が影響を与えている装置（ラック）をその影響度の度合いに応じて色の濃淡で表現することも可能である。
【００６４】
図９に示す例では、カーソルを合わせた空調機３に対して、関連性の高いラック、関連性のやや高いラックなどを色の濃淡で表示するようにしたものである。また、空調機３に合わせたカーソルを、他の空調機の位置に移動すれば、新たにカーソルを合わせた空調機に関連性の高いラックが色の濃淡で表示される。
【００６５】
このように、空調機と情報処理装置の関連性を色の濃淡で表示することにより、視覚的に把握しやすく、ヒューマンエラーを防止することができる。
【００６６】
また、上述の監視・制御用装置１００はＣＰＵ等の中央処理装置と記憶手段（ハードディスク、ＲＯＭ、ＲＡＭ等）を備えたコンピュータシステムである。そして、上述した処理に関する一連の処理の過程は、プログラムの形式で記憶手段に記憶されており、このプログラムをコンピュータが読み出して実行することによって、上記処理が行われる。また、監視・制御用装置１００の機能を実現するためのプログラムをコンピュータ読み取り可能な記録媒体に記録して、この記録媒体に記録されたプログラムをコンピュータシステムに読み込ませ、記憶手段に格納して実行することにより本発明に必要な処理を行ってもよい。
【００６７】
また、「コンピュータ読み取り可能な記録媒体」とは、フレキシブルディスク、光磁気ディスク、ＲＯＭ、ＤＶＤ等の可搬媒体の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの(伝送媒体ないしは伝送波)、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００６８】
なお、上記実施の形態では、空調機制御処理部（空調機制御手段）１１１は、監視・制御用装置１００の処理プログラム部１１０に含まれるものとして記載したが、各空調機１〜５が有する制御部が運転を制御するようにしてもよい。
【００６９】
以上、本発明の実施の形態について説明したが、空調機監視システムは、上述の図示例にのみ限定されるものではなく、本発明の要旨を逸脱しない範囲内において種々変更を加え得ることは勿論である。
【産業上の利用可能性】
【００７０】
本発明においては、複数の空調機を設備して情報処理装置等の冷却を行なう場合に、ある位置における各空調機の影響度を計測することができ、特定の装置の温度を下げたい場合に、どの空調機を制御すればよいかが判断でき、また空調機の重要度等を把握できる効果を奏するので、本発明は、空調機監視システム、および空調機監視方法等に有用である。
【図面の簡単な説明】
【００７１】
【図１】本発明の空調機監視システムの構成を示す図である。
【図２】温度センサが配置された位置に対する各空調機の関連性を探る手順を示すフローチャートである。
【図３】本発明の空調機監視システムの他の構成例を示す図である。
【図４】情報処理装置と各空調機の関連性を探る手順を示すフローチャートである。
【図５】空調機と装置の関連性係数等を画面に表示した例を示す図である。
【図６】空調機と情報処理装置を監視・制御用装置により統合的に監視・制御する例を示す図である。
【図７】空調機と情報処理装置を監視・制御用装置により統合的に監視・制御する他の例を示す図である。
【図８】指定したラックとの関連性の高さを空調機の色の濃淡で表示する例を示す図である。
【図９】指定した空調機との関連性の高さをラックの色の濃淡で表示する例を示す図である。
【図１０】従来の空調機と情報処理装置等の監視状態の説明図である。
【符号の説明】
【００７２】
１、２、３、４、５  空調機
１１  温度センサ
２１  情報処理装置
２２  ネットワーク配線
２３  ラック
２４  ラック列
３０  空調監視・制御装置
３１  空調監視・制御配線
１００  監視・制御用装置
１０１  制御部
１０２  通信用インタフェース
１１０  処理プログラム部
１１１  空調機制御処理部
１１１ａ  空調機監視部
１１１ｂ  空調機運転制御部
１１２  設定温度変更処理部
１１３  センサ温度変化情報収集処理部
１１４  影響度算出処理部
１１５  影響度画面表示処理部
１１６  表示部
１２０  データベース
１２１  機器状態監視情報
１２２  温度変化情報
１２３  影響度テーブル
【図１】
2006064283.tif 000003
【図２】
2006064283.tif 000004
【図３】
2006064283.tif 000005
【図４】
2006064283.tif 000006
【図５】
2006064283.tif 000007
【図６】
2006064283.tif 000008
【図７】
2006064283.tif 000009
【図８】
2006064283.tif 000010
【図９】
2006064283.tif 000011
【図１０】
2006064283.tif 000012